(57)【要約】【課題】施工性に優れ、かつ耐震性に優れた防煙垂壁を提供する。【解決手段】建物の天井部５０に設けられるレール状の取付フレーム２に対し、不燃材４又はこの不燃材４を設けた保持フレーム３を少なくとも１以上取付けることにより構成される防煙垂壁であって、不燃材４又はこの不燃材４を設けた保持フレーム３は、取付フレーム２に吊り下げられて支持され、不燃材４又はこの不燃材４を設けた保持フレーム３の面外方向の揺れに対して追随する構成とする。【選択図】図１
2007082759.tif 000002
【特許請求の範囲】
【請求項１】
建物の天井部に設けられるレール状の取付フレームに対し、不燃材又はこの不燃材を設けた保持フレームを少なくとも１以上取付けることにより構成される防煙垂壁であって、
前記不燃材又はこの不燃材を設けた保持フレームは、前記取付フレームに吊り下げられて支持され、前記不燃材又はこの不燃材を設けた保持フレームの面外方向の揺れに対して追随する構成とされた、
ことを特徴とする防煙垂壁。
【請求項２】
前記不燃材又はこの不燃材を設けた保持フレームの両側端部と建物の壁部との間に緩衝壁を設け、前記不燃材又はこの不燃材を設けた保持フレームの面内変形に対して追随する構成とされた、請求項１記載の防煙垂壁。
【請求項３】
建物の天井部に設けられるレール状の取付フレームに対し、不燃材を設けた保持フレームを少なくとも１以上取付けることにより構成される防煙垂壁であって、
前記取付フレームは、下方に開口した溝状の取付フレーム本体と、この本体における溝を構成する両側面の下部にそれぞれ形成された係止部に、それぞれ係止される取付アタッチメントと、を備え、
該取付アタッチメントは、前記係止部に回動自在に係止されると共に、外周に複数の歯が形成された噛合部と、押え部材を取付けるための突出片と、を備え、
取付の際に、前記保持フレームの上端部を、それぞれの前記噛合部の間に下方から挿入し、これら噛合部で噛み込ませながら、前記取付アタッチメントを前記係止部を軸心として下方に向ってそれぞれ回転させ、
この取付アタッチメントを回転させることにより前記取付フレーム本体の下端と前記取付アタッチメントの突出片とで形成される嵌合溝に、前記押え部材を嵌合させ、
前記保持フレームを前記取付フレームに対し取付ける構成とされた、
ことを特徴とする防煙垂壁。
【請求項４】
建物の天井部に設けられるレール状の取付フレームに対し、不燃材を設けた保持フレームを少なくとも１以上取付けることにより構成される防煙垂壁であって、
前記取付フレームは、下方に開口した溝状の取付フレーム本体と、この本体における溝を構成する両側面の下部にそれぞれ形成された係止部に、それぞれ係止される取付アタッチメントと、を備え、
該取付アタッチメントは、前記係止部に回動自在に係止されると共に、外周に複数の歯が形成された噛合部と、押え部材を取付けるための突出片と、前記保持フレームの上端部の脱落を防止するための係止片と、を備え、
前記保持フレームの上端部は、取付の際に、前記取付アタッチメントのそれぞれ噛合部に挟まれ、これらによって噛み合わされる被噛合部と、前記取付アタッチメントの係止片に係止される被係止片と、を有し
取付の際に、前記保持フレームの上端部を、それぞれの前記噛合部の間に下方から挿入し、これら噛合部で噛み込ませながら、前記取付アタッチメントを前記係止部を軸心として下方に向ってそれぞれ回転させ、
この取付アタッチメントを回転させることにより前記保持フレームの上端部の被係止片を前記取付アタッチメントの係止片に係止させると共に、前記取付フレーム本体の下端と前記取付アタッチメントの突出片とで形成される嵌合溝に、前記押え部材を嵌合させ、
前記保持フレームを前記取付フレームに対し取付ける構成とされた、
ことを特徴とする防煙垂壁。
【請求項５】
建物の天井部に設けられるレール状の取付フレームに対し、不燃材を設けた保持フレームを少なくとも１以上取付けることにより構成される防煙垂壁であって、
前記取付フレームは、下方に開口した溝状であり、この溝を構成する側面の一方側には、前記保持フレームの上端部を係止する係止片が形成され、
取付の際に、前記保持フレームの上端部を前記係止片に係止させると共に、前記取付フレームの他方側において、この取付フレームと前記保持フレームの上端部とで形成された開口部に、押縁部材を嵌合させ、
前記保持フレームを前記取付フレームに対し取付ける構成とされた、
ことを特徴とする防煙垂壁。
【請求項６】
前記保持フレームの両側部には、建物の壁面に向かって延在する袖片がそれぞれ形成され、
これら袖片は、建物の壁部と前記保持フレームの側端部との間に取付けられた緩衝壁の側端部を覆うと共に、隣接する保持フレーム相互の間に、面内変形を吸収するために形成された隙間を覆う機能を有する、請求項１乃至５のいずれか１項記載の防煙垂壁。
【請求項７】
建物の天井部に設けられるレール状の取付フレームに対し、シート状の不燃材を取付けることにより構成される防煙垂壁であって、
前記取付フレームは、下方に開口した溝状の取付フレーム本体と、この本体における溝を構成する両側面の下部にそれぞれ形成された係止部に、それぞれ係止される取付アタッチメントと、を備え、
該取付アタッチメントは、前記係止部に回動自在に係止されると共に、外周に複数の歯が形成された噛合部と、押え部材を取付けるための突出片と、を備え、
取付の際に、前記不燃材の上端を嵩高にした状態で、その上端をそれぞれの前記噛合部の間に下方から挿入し、これら噛合部で噛み込ませながら、前記取付アタッチメントを前記係止部を軸心として下方に向ってそれぞれ回動させ、
この取付アタッチメントを回転させることにより前記取付フレーム本体の下端と前記取付アタッチメントの突出片とで形成される嵌合溝に、前記押え部材を嵌合させ、
前記不燃材を前記取付フレームに対し取付ける構成とされた、
ことを特徴とする防煙垂壁。
【発明の詳細な説明】
【技術分野】
【０００１】
本発明は、防煙垂壁に関するものである。
【背景技術】
【０００２】
建築基準法では、火災により発生する煙の拡散を防ぎ、避難を容易にするため、所定範囲の区域に防煙区画を設けることが定められており、これを防煙壁で構成する場合は、不燃材で構成した垂壁を天井面から５０ｃｍ以上下方向に突き出させることが定められている。この防煙壁には、コスト、安全性等の観点から透明性を有するガラスパネルを用いた防煙垂壁が一般的に用いられている。このような防煙垂壁は、天井に設けられた天井レールにガラスパネルの上端部を嵌め込むと共に、この天井レールに取付けた吊り下げボルトに固定された下部受金物にガラスパネルの下端部を嵌め込むように、順次ガラスパネルを建て込んでいくことで施工が行なわれている（例えば、特許文献１参照）。
【特許文献１】実登３０４５５９０号公報
【発明の開示】
【発明が解決しようとする課題】
【０００３】
しかしながら、上記発明では、ガラスパネルを上端部と下端部とをそれぞれ天井レールと下部受金物に嵌め込まなければならないので施工効率が悪かった。また、ガラスパネル等を上下（あるいはさらに左右も）で固定すると、地震等で面内変形や面外変形を受けた際に、ガラスパネルがこれら変形に耐えられず、ガラスパネルの破損や落下を生じることとなる。
そこで、本発明の主たる課題は、施工性に優れ、かつ耐震性に優れた防煙垂壁を提供することにある。
【課題を解決するための手段】
【０００４】
上記課題を解決した本発明は、次のとおりである。
＜請求項１記載の発明＞
請求項１記載の発明は、建物の天井部に設けられるレール状の取付フレームに対し、不燃材又はこの不燃材を設けた保持フレームを少なくとも１以上取付けることにより構成される防煙垂壁であって、前記不燃材又はこの不燃材を設けた保持フレームは、前記取付フレームに吊り下げられて支持され、前記不燃材又はこの不燃材を設けた保持フレームの面外方向の揺れに対して追随する構成とされた、ことを特徴とする防煙垂壁である。
【０００５】
（作用効果）
不燃材又は不燃材を設けた保持フレームは、取付フレームに吊り下げられて支持されることにより、不燃材又は不燃材を設けた保持フレームは上部だけが拘束されるものであるため、不燃材又は不燃材が張設された保持フレームの面外方向の揺れ（面外変形）に対して追随する構成となり、耐震性を向上させることができる。
【０００６】
＜請求項２記載の発明＞
請求項２記載の発明は、前記不燃材又は不燃材を設けた保持フレームの両側端部と建物の壁部との間に緩衝壁を設け、前記不燃材又はこの不燃材を設けた保持フレームの面内変形に対して追随する構成とされた、請求項１記載の防煙垂壁である。
【０００７】
（作用効果）
不燃材又は不燃材が張設された保持フレームの両側端部と建物の壁部との間に緩衝壁を設け、不燃材又はこの不燃材を設けた保持フレームの面内変形に対して追随する構成とすることにより、耐震性を向上させることができる。
【０００８】
＜請求項３記載の発明＞
請求項３記載の発明は、建物の天井部に設けられるレール状の取付フレームに対し、不燃材を設けた保持フレームを少なくとも１以上取付けることにより構成される防煙垂壁であって、前記取付フレームは、下方に開口した溝状の取付フレーム本体と、この本体における溝を構成する両側面の下部にそれぞれ形成された係止部に、それぞれ係止される取付アタッチメントと、を備え、該取付アタッチメントは、前記係止部に回動自在に係止されると共に、外周に複数の歯が形成された噛合部と、押え部材を取付けるための突出片と、を備え、取付の際に、前記保持フレームの上端部を、それぞれの前記噛合部の間に下方から挿入し、これら噛合部で噛み込ませながら、前記取付アタッチメントを前記係止部を軸心として下方に向ってそれぞれ回転させ、この取付アタッチメントを回転させることにより前記取付フレーム本体の下端と前記取付アタッチメントの突出片とで形成される嵌合溝に、前記押え部材を嵌合させ、前記保持フレームを前記取付フレームに対し取付ける構成とされた、ことを特徴とする防煙垂壁である。
【０００９】
（作用効果）
上記構成により、不燃材を設けた保持フレームの取付フレームに対する取付が容易化され、取付作業の効率が向上する。
【００１０】
＜請求項４記載の発明＞
請求項４記載の発明は、建物の天井部に設けられるレール状の取付フレームに対し、不燃材を設けた保持フレームを少なくとも１以上取付けることにより構成される防煙垂壁であって、前記取付フレームは、下方に開口した溝状の取付フレーム本体と、この本体における溝を構成する両側面の下部にそれぞれ形成された係止部に、それぞれ係止される取付アタッチメントと、を備え、該取付アタッチメントは、前記係止部に回動自在に係止されると共に、外周に複数の歯が形成された噛合部と、押え部材を取付けるための突出片と、前記保持フレームの上端部の脱落を防止するための係止片と、を備え、前記保持フレームの上端部は、取付の際に、前記取付アタッチメントのそれぞれ噛合部に挟まれ、これらによって噛み合わされる被噛合部と、前記取付アタッチメントの係止片に係止される被係止片と、を有し、取付の際に、前記保持フレームの上端部を、それぞれの前記噛合部の間に下方から挿入し、これら噛合部で噛み込ませながら、前記取付アタッチメントを前記係止部を軸心として下方に向ってそれぞれ回転させ、この取付アタッチメントを回転させることにより前記保持フレームの上端部の被係止片を前記取付アタッチメントの係止片に係止させると共に、前記取付フレーム本体の下端と前記取付アタッチメントの突出片とで形成される嵌合溝に、前記押え部材を嵌合させ、前記保持フレームを前記取付フレームに対し取付ける構成とされた、ことを特徴とする防煙垂壁である。
【００１１】
（作用効果）
上記構成により、不燃材を設けた保持フレームの取付フレームに対する取付が容易化され、取付作業の効率が向上する。また、取付アタッチメントに、保持フレームの上端部の脱落を防止するための係止片を取付けることにより、保持フレームが脱落することを確実に防止することができる。
【００１２】
＜請求項５記載の発明＞
請求項５記載の発明は、建物の天井部に設けられるレール状の取付フレームに対し、不燃材を設けた保持フレームを少なくとも１以上取付けることにより構成される防煙垂壁であって、前記取付フレームは、下方に開口した溝状であり、この溝を構成する側面の一方側には、前記保持フレームの上端部を係止する係止片が形成され、取付の際に、前記保持フレームの上端部を前記係止片に係止させると共に、前記取付フレームの他方側において、この取付フレームと前記保持フレームの上端部とで形成された開口部に、押縁部材を嵌合させ、前記保持フレームを前記取付フレームに対し取付ける構成とされた、ことを特徴とする防煙垂壁である。
【００１３】
（作用効果）
上記構成により、不燃材を設けた保持フレームの取付フレームに対する取付が容易化され、取付作業の効率が向上する。
【００１４】
＜請求項６記載の発明＞
請求項６記載の発明は、前記保持フレームの両側部には、建物の壁面に向かって延在する袖片がそれぞれ形成され、これら袖片は、建物の壁部と前記保持フレームの側端部との間に取付けられた緩衝壁の側端部を覆うと共に、隣接する保持フレーム相互の間に、面内変形を吸収するために形成された隙間を覆う機能を有する、請求項１乃至５のいずれか１項記載の防煙垂壁である。
【００１５】
（作用効果）
上記構成により、意匠性に優れた防煙垂壁を実現することができる。
【００１６】
＜請求項７記載の発明＞
請求項７記載の発明は、建物の天井部に設けられるレール状の取付フレームに対し、シート状の不燃材を取付けることにより構成される防煙垂壁であって、前記取付フレームは、下方に開口した溝状の取付フレーム本体と、この本体における溝を構成する両側面の下部にそれぞれ形成された係止部に、それぞれ係止される取付アタッチメントと、を備え、該取付アタッチメントは、前記係止部に回動自在に係止されると共に、外周に複数の歯が形成された噛合部と、押え部材を取付けるための突出片と、を備え、取付の際に、前記不燃材の上端を嵩高にした状態で、その上端をそれぞれの前記噛合部の間に下方から挿入し、これら噛合部で噛み込ませながら、前記取付アタッチメントを前記係止部を軸心として下方に向ってそれぞれ回動させ、この取付アタッチメントを回転させることにより前記取付フレーム本体の下端と前記取付アタッチメントの突出片とで形成される嵌合溝に、前記押え部材を嵌合させ、前記不燃材を前記取付フレームに対し取付ける構成とされた、ことを特徴とする防煙垂壁である。
【００１７】
（作用効果）
上記構成により、シート状の不燃材の取付フレームに対する取付が容易化され、取付作業の効率が向上する。
【発明の効果】
【００１８】
本発明によれば、施工性に優れ、かつ耐震性に優れる等の利点がもたらされる。
【発明を実施するための最良の形態】
【００１９】
以下、本発明の実施の形態を説明する。
本発明に係る防煙垂壁１は、図１乃至図３に示すように、建物の天井部５０に設けられたレール状の取付フレーム２と、この取付フレーム２の下部に取付けられ、吊り下げられる少なくとも１以上の保持フレーム３と、この保持フレーム３により保持される不燃材４と、を備えている。
【００２０】
取付フレーム２は、天井下地（図示せず）に設けられた複数の吊ボルト５１により吊り下げられて、天井部５０に対して設置されている。この取付フレーム２は、下方に開口した溝状の取付フレーム本体２０と、この本体２０における溝を構成する両側面の下部にそれぞれ形成された係止部２０Ａ，２０Ａに回動自在にそれぞれ係止される取付アタッチメント２１，２１と、を備えている。なお、取付フレーム２は天井部５０に直に取付てもよい。
【００２１】
取付フレーム本体２０の上部には、図１に示すように、リップ溝部２０Ｃが形成されており、吊ボルト５１に係止されるようになっている。取付フレーム本体２０における溝を構成する両側面の下部には、双方の側面に向って突出する突出片２０Ｂ，２０Ｂが形成されており、それぞれの突出片２０Ｂ，２０Ｂの先端部分には、前述した係止部２０Ａ，２０Ａが形成されている。このうち突出片２０Ｂ，２０Ｂは、取付アタッチメント２１，２１の突出片２１Ｂ，２１Ｂと協動して、後述する押え部材６Ａを嵌め込む嵌合溝を形成する。一方、係止部２０Ａ，２０Ａは、図４に示すように、断面円形状であり、この外周に沿って後述する取付アタッチメント２１，２１の噛合部が回動するようになっている。
【００２２】
取付アタッチメント２１は、取付フレーム本体２０の側面に形成された係止部２０Ａに回動自在に係止されると共に、外周に複数の歯が形成された噛合部２１Ａと、押え部材６Ａを嵌め込む嵌合溝を形成する突出片２１Ｂと、保持フレーム３を構成する上部保持フレーム３０の上方を係止する係止片２１Ｃと、を備えている。
【００２３】
保持フレーム３は、上部保持フレーム３０、下部保持フレーム３１、及び左右保持フレーム３２，３３と、を備えており、これらで四方を枠組みし、その内周にガラスパネルやガラス繊維シート等の不燃材４を嵌め込むことができるようになっている。
【００２４】
上部保持フレーム３０は、図１に示すように、不燃材４の上端部を保持するための押え部材６Ｂを嵌合する、下方に開口した溝状の上部保持フレーム本体３０Ａと、このフレーム本体３０Ａの上部に形成され、取付アタッチメント２１に係合する係合部３０Ｂと、を備えている。このうち係合部３０Ｂは、取付の際に２つの取付アタッチメント２１，２１のそれぞれ噛合部２１Ａ，２１Ａに挟まれ、これらによって噛み合わされる被噛合部３０ａと、取付アタッチメント２１の係止片２１Ｃに係止される被係止片３０ｂと、を有している。上部保持フレーム３０の被噛合部３０ａと取付アタッチメントのそれぞれ噛合部２１Ａ，２１Ａとは、ラックとピニオンのような関係をもっており、図４に示すように、取付アタッチメント２１，２１を左右に開いた状態で、上部保持フレーム３０の被噛合部３０ａを取付アタッチメント２１，２１のそれぞれ噛合部２１Ａ，２１Ａの間に下方から挿入することによって、被噛合部３０ａと噛合部２１Ａ，２１Ａとが噛み合いながら、それによって取付アタッチメント２１，２１が下方に下がるようになっている。
【００２５】
また、下部保持フレーム３１は、図１に示すように、不燃材４の下端部を保持するための押え部材６Ｂを嵌合する、上方に開口した溝状の下部保持フレーム本体３１Ａと、を備えている。なお、押え部材６Ｂは、１本で下部保持フレーム本体３１Ａと、前述した上部保持フレーム本体３０Ａ、後述する左右保持フレーム本体３２Ａ，３３Ａを巡るように取付してもよいし、それぞれで分割して取付してもよい。
【００２６】
左右保持フレーム３２，３３は、不燃材４の左右端部をそれぞれ保持するための押え部材６Ｂを嵌合する溝状の左右保持フレーム本体３２Ａ，３３Ａと、これら左右保持フレーム本体３２Ａ，３３Ａからそれぞれ建物の壁部５２，５２に向かって延在する袖片３２Ｂ，３３Ｂと、を備えている。これら袖片３２Ｂ，３３Ｂは、図３に示すように、建物の壁部５２，５２と左右保持フレーム３２，３３との間に形成される緩衝壁としての不燃材４０の取付しろとして機能したり、隣接する左右保持フレーム３２，３３相互の間に形成された隙間７、すなわち面内変形（保持フレームに向って左右の方向の変形）を吸収するための空間を覆う袖として機能するものである。なお、緩衝壁としての不燃材４０は、取付フレーム２や建物の壁部５２に取付けて固定してもよい。
【００２７】
次に、上部保持フレーム３０、下部保持フレーム３１、及び左右保持フレーム３２，３３の枠組み方法について説明する。なお、ここでは、図５に基づき、上部保持フレーム３０と左保持フレーム３２とのコーナー部の枠組みについて説明する。まず枠組み前に、左保持フレーム３２において、左保持フレーム本体３２Ａの壁部（建物壁面）に対向する面（以下、外周面）の部分を残して、コーナー部分で上部保持フレーム本体３０Ａと重なる部分の左保持フレーム本体３２Ａを切除する。そして、左保持フレーム本体３２Ａの外周面で、上部保持フレーム本体３０Ａの小口を覆うように枠組みした後、左保持フレーム本体３２Ａの外周面から、上部保持フレーム本体３０Ａに形成されたビスホール３０Ｃに向けてビス（図示せず）をねじ込み固定すればよい。なお、上記枠組みは、上部保持フレーム３０と右保持フレーム３３との間、下部保持フレーム３１と左右保持フレーム３２，３３との間に形成されるコーナー部でも行われる。そして、枠組みされた保持フレーム３に対して、ゴムチューブ等の押え部材６Ｂを嵌合させながら、不燃材４を取付ければよい。  
【００２８】
次に、取付フレーム２への保持フレーム３の取付方法について説明する。まず、図４に示すように、取付アタッチメント２１，２１を、取付フレーム２の外部に向けて左右に開いた状態にしておき、上部保持フレーム３０の被噛合部３０ａを取付アタッチメントのそれぞれ噛合部２１Ａ，２１Ａの間に下方から挿入することによって、被噛合部３０ａと噛合部２１Ａ，２１Ａとが噛み合いながら、それによって取付アタッチメント２１，２１が下方に下がる（換言すると、取付アタッチメント２１，２１が係止部２０Ａ，２０Ａを軸心として、下方に向ってそれぞれ回転する）。このとき、上部保持フレーム３１の被係止片３０ｂの下方から、取付アタッチメント２１，２１の係止片２１Ｃ，２１Ｃが被係止片３０ｂ，３０ｂを係止するように回り込み、最終的には、これら取付アタッチメント２１，２１の係止片２１Ｃ，２１Ｃに上部保持フレーム３１の被係止片３０ｂ，３０ｂが支持されるようになる。最後に、保持フレーム３が下方に落ちないようにするため、嵌合溝にゴムチューブ等の押え部材６Ａを嵌合し、取付アタッチメント２１の回動を防止するものである。
【００２９】
上記構成により、保持フレーム３の取付フレーム２に対する取付が容易化され、取付作業の効率が向上する。また、取付アタッチメント２１に、上部保持フレーム３０の上端部の脱落を防止するための係止片２１Ｃを取付けることにより、保持フレーム３が脱落することを確実に防止することができる。
【００３０】
本発明においては、不燃材４を設けた保持フレーム３が取付フレーム２に吊り下げられて支持されることにより、保持フレーム３は上部だけが拘束されるものであるため、保持フレーム３の面外方向の揺れ（面外変形）に対して追随する構成となり、耐震性を向上させることができる。また、保持フレーム３の両側端部と建物の壁部５２，５２との間に緩衝壁を設け、保持フレーム３の面内変形に対して追随する構成とすることにより、耐震性を向上させることができる。
【００３１】
他の実施の形態の防煙垂壁１０としては、図６及び図７に示すようなものを提案することができる。前述した実施の形態とは、取付フレーム２は共通するものの、不燃材４を保持する保持フレーム３がないことが相違している。この場合、不燃材４としては、ガラス繊維等のシートを用い、噛合部２１Ａ，２１Ａとが噛み合いやすくするため、その上端を丸めるなりして嵩高にする（厚みを増す）。図６に示すように、嵩高にされた不燃材４の上端部が、噛合部２１Ａ，２１Ａの上部に引っ掛かって係止されること、又は不燃材４の上端部が噛合部２１Ａ，２１Ａに噛み込まれることによって、取付フレーム２への不燃材４の固定が行なわれる。
【００３２】
さらに他の実施の形態の防煙垂壁１００としては、図８に示すようなものを提案することができる。図８に示すように、取付フレーム２００は、下方に開口した溝状であり、この溝を構成する側面の一方側には、上部保持フレーム３００を係止する係止片２００Ａが形成されている。上部保持フレーム３００は、不燃材４の上端部を保持するための押え部材６Ｂを嵌合する、下方に開口した溝状の上部保持フレーム本体３００Ａと、このフレーム本体３００Ａの上部に形成された係合片３００Ｂと、を備えている。係合片３００Ｂは、略Ｔ字型をしており、この形状により係止片２００Ａに上部保持フレーム３００を係止させることができる。また、取付フレーム２００の他方側において、取付フレーム２００と係合片３００Ｂとで形成された開口部に、押縁部材４００を嵌合させることができるようになっており、これによって取付フレーム２００と保持フレーム３００とを固定して一体化させることができる。
【図面の簡単な説明】
【００３３】
【図１】本発明に係る防煙垂壁の縦断面図である。
【図２】その正面図である。
【図３】その横断面図である。
【図４】取付フレームへの保持フレームの取付方法を説明する要部縦断面図である。
【図５】上部保持フレームと左保持フレームとのコーナー部の枠組みについて説明する要部正面図である。
【図６】防煙垂壁の他の実施の形態の縦断面図である。
【図７】その正面図である。
【図８】防煙垂壁のさらに他の実施の形態の縦断面図である。
【符号の説明】
【００３４】
１…防煙垂壁、２…取付フレーム、３…保持フレーム、４…不燃材、６Ａ，６Ｂ…押え部材、７…隙間、２０…取付フレーム本体、２０Ａ…係止部、２０Ｂ…突出片、２０Ｃ…リップ溝部、２１…取付アタッチメント、２１Ａ…噛合部、２１Ｂ…突出片、２１Ｃ…係止片、３０…上部保持フレーム、３０Ａ…上部保持フレーム本体、３０Ｂ…係合部、３０Ｃ…ビスホール、３０ａ…被噛合部、３０ｂ…被係止片、３１…下部保持フレーム、３１Ａ…下部保持フレーム本体、３２…左保持フレーム、３２Ａ…左保持フレーム本体、３２Ｂ…袖片、３３Ａ…右保持フレーム本体、３３Ｂ…袖壁、３３…右保持フレーム、５０…天井部、５１…吊ボルト、５２…壁部。
【図１】
2007082759.tif 000003
【図２】
2007082759.tif 000004
【図３】
2007082759.tif 000005
【図４】
2007082759.tif 000006
【図５】
2007082759.tif 000007
【図６】
2007082759.tif 000008
【図７】
2007082759.tif 000009
【図８】
2007082759.tif 000010